(57)【要約】【課題】本発明は左右の建物が異なる前後左右方向に揺れ動いても、その揺れ動きを吸収し、目地部に隙間が生じても危険になるのを確実に防止し、かつ固定的な手摺の設置ができ、全体を異なる前後方向に回動させて安全に使用することができる渡り通路用床目地装置を得るにある。【解決手段】左右の渡り通路の目地部側の床躯体上に固定された左右の滑りプレ−トと、この左右の滑りプレ−トに支持され中央部の中央維持片が左右の建物が異なる左右方向に揺れ動いても目地部のほぼ中央部に位置する両端部が該左右の滑りプレ−トの反目地部側のほぼ中央部に取付けられた枢支ピンに枢支された中央維持機構と、この中央維持機構の中央維持片に取付けられた両端部が左右の滑りプレ−トにスライド可能に支持された該中央維持機構の前後部を支持する前後部支持体と、この前後部支持体および中央維持機構を覆うように該前後部支持体に取付けられた左右端部が左右の滑りプレ−ト上に位置する目地プレ−トとで渡り通路用床目地装置を構成している。【選択図】　図１
2004019210.tif 000002
【特許請求の範囲】
【請求項１】
目地部を介して連通できるように左右の建物に形成された左右の渡り通路の目地部側の床躯体上に固定された左右の滑りプレ−トと、この左右の滑りプレ−トに支持され、中央部の中央維持片が前記左右の建物が異なる左右方向に揺れ動いても、前記目地部のほぼ中央部に位置する両端部が該左右の滑りプレ−トの反目地部側のほぼ中央部に取付けられた枢支ピンに枢支された中央維持機構と、この中央維持機構の中央維持片に取付けられた両端部が前記左右の滑りプレ−トにスライド可能に支持された、該中央維持機構の前後部を支持する前後部支持体と、この前後部支持体および前記中央維持機構を覆うように、該前後部支持体に取付けられた左右端部が前記左右の滑りプレ−トあるいは前記左右の渡り通路の床躯体上に位置する目地プレ−トとからなることを特徴とする渡り通路用床目地装置。
【請求項２】
目地部を介して連通できるように左右の建物に形成された左右の渡り通路の目地部側の床躯体の中央部に、両端部が枢支ピンで枢支された中央部の中央維持片が前記左右の建物が異なる左右方向に揺れ動いても、前記目地部のほぼ中央部に位置する中央維持機構と、この中央維持機構の中央維持片に取付けられた両端部が前記目地部側の床躯体上をスライド移動できるようにロ−ラが取付けられた、該中央維持機構の前後部を支持する前後部支持体と、この前後部支持体および前記中央維持機構を覆うように、該前後部支持体に取付けられた左右端部が前記左右の渡り通路の床躯体上に位置する目地プレ−トとからなることを特徴とする渡り通路用床目地装置。
【請求項３】
左右端部が傾斜面に形成されている目地プレ−トを用いたことを特徴とする請求項１、２記載の渡り通路用床目地装置。
【請求項４】
目地プレ−トの前後端部には手摺が固定的に取付けられていることを特徴とする渡り通路用床目地装置。
【発明の詳細な説明】
【０００１】
【発明の属する技術分野】
本発明は渡り通路用床目地装置に関する。
【０００２】
【従来の技術】
従来、渡り通路用床目地装置は一方の渡り通路の目地部寄りの部位の床躯体に凹部を形成して固定された下地レ−ルと、この下地レ−ルのほぼ中央部に先端部が位置し、後端部が他方の渡り通路の目地部寄りの床躯体に固定された目地プレ−トと、この目地プレ−トの先端部および前記下地レ−ルの上部を覆うように、該下地レ−ルに固定されたカバ−プレ−トとで構成されている。
【０００３】
【発明が解決しようとする課題】
従来の渡り通路用床目地装置は、地震等によって左右の建物の異なる前後左右方向の揺れ動きを吸収することができるが、前後方向に揺れ動いた場合、目地プレ−トが他方の建物と一体になって前後方向に移動するため、一方の建物側の前後端部に目地プレ−トのない隙間が生じ、危険になるという欠点があった。
【０００４】
本発明は以上のような従来の欠点に鑑み、左右の建物が異なる前後左右方向に揺れ動いても、その揺れ動きを吸収することができるとともに、目地部に隙間が生じても危険になるのを確実に防止でき、かつ固定的な手摺の設置ができ、全体を異なる前後方向に回動させて安全に使用することができる渡り通路用床目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して連通できるように左右の建物に形成された左右の渡り通路の目地部側の床躯体上に固定された左右の滑りプレ−トと、この左右の滑りプレ−トに支持され、中央部の中央維持片が前記左右の建物が異なる左右方向に揺れ動いても、前記目地部のほぼ中央部に位置する両端部が該左右の滑りプレ−トの反目地部側のほぼ中央部に取付けられた枢支ピンに枢支された中央維持機構と、この中央維持機構の中央維持片に取付けられた両端部が前記左右の滑りプレ−トにスライド可能に支持された、該中央維持機構の前後部を支持する前後部支持体と、この前後部支持体および前記中央維持機構を覆うように、該前後部支持体に取付けられた左右端部が前記左右の滑りプレ−トあるいは前記左右の渡り通路の床躯体上に位置する目地プレ−トとで渡り通路用床目地装置を構成している。
【０００７】
【発明の実施の形態】
以下、図面に示す実施の形態により、本発明を詳細に説明する。
【０００８】
図１ないし図１０に示す本発明の第１の実施の形態において、１は左右の建物２、２より目地部３を介して対向するように設けられた左右の渡り通路４、４を連通する本発明の渡り通路用床目地装置で、この渡り通路用床目地装置１は前記左右の渡り通路４、４の目地部３側の床躯体４ａ、４ａ上に固定されたステンレス、ステンレス合金、アルミ合金等の金属材製の左右の滑りプレ−ト５、５と、この左右の滑りプレ−ト５、５に支持され、中央部の中央維持片６が前記左右の建物２、２が異なる左右方向に揺れ動いても、前記目地部３のほぼ中央部に位置する両端部が、該左右の滑りプレ−ト５、５の反目地部側のほぼ中央部に取付けられた枢支ピン７、７に枢支された中央維持機構８と、この中央維持機構８の中央維持片６に取付けられた両端部が前記左右の滑りプレ−ト５、５にスライド可能に支持された、該中央維持機構８の前後部を支持する前後部支持体９、９と、この前後部支持体９、９に複数本の皿ビス１０等によって取付けられた左右端部が前記左右の滑りプレ−ト５、５上に位置する目地プレ−ト１１と、この目地プレ−ト１１の前後端部に固定的に取付けられた手摺１２、１２とで構成されている。
【０００９】
前記左右の滑りプレ−ト５、５は図４に示すように、前記左右の渡り通路４、４の目地部３側の床躯体４ａ、４ａを覆う板状の滑りプレ−ト本体１３と、この滑りプレ−ト本体１３の両端部より下方へ突出するように一体形成され、複数本のビス１４等によって床躯体４ａに固定される係止片１５、１５とで構成されている。
【００１０】
前記中央維持機構８は図５に示すように、対向する先端部側にラック１６、１６が形成され、後端部に枢支ピン挿入孔１７、１７が形成された一対の作動杆１８、１８と、この一対の作動杆１８、１８のラック１６、１６の中央部に噛み合うピニオン１９と、このピニオン１９の軸２０に取付けられた前記一対の作動杆１８、１８がスライド移動可能で、該ピニオン１９との噛み合いが外れるのを防止する中央維持片６と、この中央維持片６の下端部より外方に突出して複数本のビス２１等によって前記前後部支持体９、９を支持する支持片２２、２２とで構成されている。
【００１１】
前記前後部支持体９、９は図６に示すように、所定間隔に配置された複数本、本発明の実施の形態では３本の金属材で角パイプ状に形成されたバ−部材２３、２３、２３と、このバ−部材２３、２３、２３の両端部に溶接等によって固定された支持バ−２４、２４とで構成されている。
なお、本発明の実施の形態では前後部支持体９、９の軽量化を図るために、複数本のバ−部材２３、２３、２３を用いたものについて説明したが、本発明はこれに限らず、チャンネル状の鋼板あるいは波板鋼板を用いてもよい。
【００１２】
前記目地プレ−ト１１は図７に示すように、前記前後部支持体９、９および前記中央維持機構８の上部を覆う板状のステンレス、ステンレス合金、アルミ合金等の金属材で形成された目地プレ−ト本体２５と、この目地プレ−ト本体２５の前後端部より下方へ突出するように一体形成された、前記前後部支持体９、９に複数本の皿ビス１０等によって固定される前後部カバ−２６、２６と、前記目地プレ−ト本体２５の左右端部より順次下方へ傾斜するように一体形成成された左右端カバ−２７、２７とで構成されている。
【００１３】
上記構成の渡り通路用床目地装置１は地震等によって、左右の渡り通路４、４の目地部３が広くなるように揺れ動いた場合には、図８に示すように左右の滑りプレ−ト５、５が左右の渡り通路４、４と一体になって左右方向に移動するため、該左右の滑りプレ−ト５、５に支持されている前後部支持体９、９および目地プレ−ト１１は中央維持機構８の中央維持片６によって、目地部３の中央部に中央部が位置するように支持されているため、前後部支持体９、９の左右端部が左右の滑りプレ−ト５、５上をスライド移動して、その揺れ動きを吸収する。
また、目地部３が狭くなるように揺れ動いた場合にも、同様に図９に示すように前後部支持体９、９の左右端部が左右の滑りプレ−ト５、５上をスライド移動して、その揺れ動きを吸収する。
【００１４】
左右の渡り通路４、４が異なる前後方向に揺れ動いた場合には、図１０に示すように枢支ピン７、７を支点に中央維持機構８、前後部支持体９、９および目地プレ−ト１１が一体状態となって回動して、その揺れ動きを吸収する。
また、異なる前後方向の揺れ動きで目地部３が広くなったり、狭くなったりした場合には、前述の動作が複合して、その揺れ動きを吸収する。
【００１５】
【発明の異なる実施の形態】
次に、図１１ないし図１８に示す本発明の異なる実施の形態につき説明する。なお、これらの発明の異なる実施の形態の説明に当って、前記本発明の第１の実施の形態と同一構成部分には同一符号を付して重複する説明を省略する。
【００１６】
図１１ないし図１３に示す本発明の第２の実施の形態において、前記本発明の第１の実施の形態と主に異なる点は、左右の滑りプレ−ト５、５を覆うことができるとともに、ほぼ直角に折り曲げられた左右端カバ−２７Ａ、２７Ａを形成した目地プレ−ト１１Ａを用いた点で、このように形成された目地プレ−ト１１Ａを用いて構成した渡り通路用床目地装置１Ａにしても、前記本発明の第１の実施の形態と同様な作用効果が得られる。
【００１７】
図１４ないし図１６に示す本発明の第３の実施の形態において、前記本発明の第１の実施の形態と主に異なる点は、左右端部寄りの底面によりスム−ズにスライド移動できるように複数個のロ−ラ２８、２８、２８、２８を取付けた前後部支持体９Ａ、９Ａを用いた点で、このような前後部支持体９Ａ、９Ａを用いて構成した渡り通路用床目地装置１Ｂにしても、前記本発明の第１の実施の形態と同様な作用効果が得られる。
なお、前後部支持体９Ａ、９Ａのロ−ラ２８、２８、２８、２８は一般的なロ−ラは勿論、キャスタ−や車輪をロ−ラとして使用してもよい。
【００１８】
図１７および図１８に示す本発明の第４の実施の形態において、前記本発明の第３の実施の形態と主に異なる点は、枢支ピン７、７を左右の渡り通路４、４の目地部側の床躯体４ａ、４ａの中央部に固定して、左右の滑りプレ−トを使用しないで構成した点で、このように構成した渡り通路用床目地装置１Ｃにしても、前後部支持体９Ａ、９Ａの左右端部寄りの複数個のロ−ラ２８、２８、２８、２８が床躯体４ａ、４ａ上を回転して移動するため、前記本発明の第３の実施の形態と同様な作用効果が得られる。
【００１９】
【発明の効果】
以上の説明から明らかなように、本発明にあっては次に列挙する効果が得られる。
【００２０】
（１）目地部を介して連通できるように左右の建物に形成された左右の渡り通路の目地部側の床躯体上に固定された左右の滑りプレ−トと、この左右の滑りプレ−トに支持され、中央部の中央維持片が前記左右の建物が異なる左右方向に揺れ動いても、前記目地部のほぼ中央部に位置する両端部が該左右の滑りプレ−トの反目地部側のほぼ中央部に取付けられた枢支ピンに枢支された中央維持機構と、この中央維持機構の中央維持片に取付けられた両端部が前記左右の滑りプレ−トにスライド可能に支持された、該中央維持機構の前後部を支持する前後部支持体と、この前後部支持体および前記中央維持機構を覆うように、該前後部支持体に取付けられた左右端部が前記左右の滑りプレ−トあるいは前記左右の渡り通路の床躯体上に位置する目地プレ−トとで構成されているので、左右の滑りプレ−トに取付けられた枢支ピンを支点に中央維持機構、前後部支持体および目地プレ−トを一体状態で回動させることができる。
したがって、地震等によって、異なる前後方向に左右の渡り通路が揺れ動いても、目地部に隙間が生じることなく覆った状態を保ち、安全に使用することができる。
【００２１】
（２）前記（１）によって、異なる左右方向に揺れ動いた場合には中央維持機構によって、前後部支持体および目地プレ−トのほぼ中央部が目地部のほぼ中央部に位置した状態で左右端部が左右の滑りプレ−ト上をスライド移動して、その揺れ動きを吸収することができる。
したがって、最大の移動量を確実に設定することができるとともに、前後部支持体および目地プレ−トの左右方向の寸法を最小寸法に設定することができる。
【００２２】
（３）前記（２）によって、目地部を１枚の目地プレ−トで覆うことができる。したがって、目地プレ−トの前後部に構造が簡単で、安価な固定状態の手摺を取付けることができる。
【００２３】
（４）前記（１）によって、左右の渡り通路の目地部側の床躯体に凹部等の加工をしなくても設置することができる。
したがって、容易に短時間に設置することができる。
【００２４】
（５）請求項２、３、４も前記（１）〜（４）と同様な効果が得られる。
【図面の簡単な説明】
【図１】本発明の第１の実施の形態の平面図。
【図２】本発明の第１の実施の形態の正面図。
【図３】図１の３−３線に沿う拡大断面図。
【図４】本発明の第１の実施の形態の左右の滑りプレ−トの説明図。
【図５】本発明の第１の実施の形態の中央維持機構の説明図。
【図６】本発明の第１の実施の形態の前後部支持体の説明図。
【図７】本発明の第１の実施の形態の目地プレ−トの説明図。
【図８】本発明の第１の実施の形態の目地部が広くなった動作説明図。
【図９】本発明の第１の実施の形態の目地部が狭くなった動作説明図。
【図１０】本発明の第１の実施の形態の異なる前後方向の動作説明図。
【図１１】本発明の第２の実施の形態の平面図。
【図１２】図１１の１２−１２線に沿う拡大断面図。
【図１３】本発明の第２の実施の形態の目地プレ−トの説明図。
【図１４】本発明の第３の実施の形態の平面図。
【図１５】図１４の１５−１５線に沿う拡大断面図。
【図１６】本発明の第３の実施の形態の前後部支持体の説明図。
【図１７】本発明の第４の実施の形態の平面図。
【図１８】図１７の１８−１８線に沿う拡大断面図。
【符号の説明】
１、１Ａ、１Ｂ、１Ｃ：渡り通路用床目地装置、
２：建物、　　　　　　　３：目地部、
４：渡り通路、　　　　　４ａ：床躯体、
５：左右の滑りプレ−ト、６：中央維持片、
７：枢支ピン、　　　　　８：中央維持機構、
９、９Ａ：前後部支持体、１０：皿ビス、
１１、１１Ａ：目地プレ−ト、
１２：手摺、　　　　　　１３：滑りプレ−ト本体、
１４：ビス、　　　　　　１５：係止片、
１６：ラック、　　　　　１７：枢支ピン挿入孔、
１８：作動杆、　　　　　１９：ピニオン、
２０：軸、　　　　　　　２１：ビス、
２２：支持片、　　　　　２３：バ−部材、
２４：支持バ−、　　　　２５：目地プレ−ト本体、
２６：前後部カバ−、　　２７、２７Ａ：左右端カバ−、
２８：ロ−ラ。
【図１】
2004019210.tif 000003
【図２】
2004019210.tif 000004
【図３】
2004019210.tif 000005
【図４】
2004019210.tif 000006
【図５】
2004019210.tif 000007
【図６】
2004019210.tif 000008
【図７】
2004019210.tif 000009
【図８】
2004019210.tif 000010
【図９】
2004019210.tif 000011
【図１０】
2004019210.tif 000012
【図１１】
2004019210.tif 000013
【図１２】
2004019210.tif 000014
【図１３】
2004019210.tif 000015
【図１４】
2004019210.tif 000016
【図１５】
2004019210.tif 000017
【図１６】
2004019210.tif 000018
【図１７】
2004019210.tif 000019
【図１８】
2004019210.tif 000020